(57)【要約】【課題】分注プローブの洗浄に用いる洗浄液の供給が可能な自動分析装置及びその洗浄方法を提供する。【解決手段】被検試料を分注するサンプル分注プローブ１６を洗浄する第１の洗浄液を貯留する第１の洗浄槽８１ｃと、第１の洗浄槽８１ｃ内の第１の洗浄液を検出する液面検出器１８ａと、第１の洗浄槽８１ｃに第１の洗浄液を供給する供給部８１ｂとを備え、影響を受ける測定項目を含む被検試料の分注前に第１の洗浄液槽８１ｃに貯留した第１の洗浄液を用いてサンプル分注プローブ１６を洗浄する。このときの液面検出器１８ａの検出信号に基づいて第１の洗浄槽８１ｃ内の洗浄液量を計測し、計測した洗浄液量が量Ｖ１よりも少ない場合、第１の洗浄槽８１ｃ内に第１の洗浄液を供給する。【選択図】図８
2008202945.tif 000002
【特許請求の範囲】
【請求項１】
被検試料とこの被検試料の測定項目に対応する試薬とを反応容器に分注して、その混合液を測定する自動分析装置において、
前記被検試料を分注する分注プローブと、
前記分注プローブを洗浄するための洗浄液を貯留する洗浄液槽と、
前記洗浄液槽内に貯留された前記洗浄液の量を計測する計測手段と、
前記計測手段により計測された洗浄液量が所定の量よりも少ないときに、前記洗浄液槽内に前記洗浄液を供給する供給手段とを
備えたことを特徴とする自動分析装置。
【請求項２】
前記測定項目の内の予め設定された影響を受ける測定項目を含む被検試料の分注前に、前記洗浄液槽に貯留された前記洗浄液を用いて前記分注プローブを洗浄するようにしたことを特徴とする請求項１に記載の自動分析装置。
【請求項３】
前記被検試料の分注終了毎に、前記分注プローブを洗浄水を用いて洗浄する洗浄水槽を有し、
前記洗浄液は、前記洗浄水よりも強い洗浄力を有することを特徴とする請求項１に記載の自動分析装置。
【請求項４】
被検試料とこの被検試料の測定項目に対応する試薬とを反応容器に分注して、その混合液を測定する自動分析装置において、
前記試薬を分注する分注プローブと、
前記分注プローブを洗浄するための洗浄液を貯留する洗浄液槽と、
前記洗浄液槽内に貯留された前記洗浄液の量を計測する計測手段と、
前記計測手段により計測された洗浄液量が所定の量よりも少ないときに、前記洗浄液槽内に前記洗浄液を供給する供給手段とを
備えたことを特徴とする自動分析装置。
【請求項５】
前記試薬の内、予め設定された影響を与える試薬を分注した後に前記影響を与える試薬から影響を受ける試薬を分注する場合、前記影響を受ける試薬の分注前に、前記洗浄液槽に貯留された前記洗浄液を用いて前記分注プローブを洗浄するようにしたことを特徴とする請求項４に記載の自動分析装置。
【請求項６】
前記試薬の分注終了毎に、前記分注プローブを洗浄水を用いて洗浄する洗浄水槽を有し、
前記洗浄液は、前記洗浄水よりも強い洗浄力を有することを特徴とする請求項４に記載の自動分析装置。
【請求項７】
前記洗浄液は、アルカリ性洗浄液、又は酸性洗浄液、又は界面活性剤を含む洗浄液であることを特徴とする請求項１又は請求項４に記載の自動分析装置。
【請求項８】
前記洗浄液槽内に貯留した前記洗浄液を加熱する加熱手段を有することを特徴とする請求項１又は請求項４に記載の自動分析装置。
【請求項９】
前記供給手段は、前記洗浄液槽内に供給する前記洗浄液の濃縮液を所定の希釈倍率に希釈する希釈手段を有し、
前記洗浄槽内には、前記希釈手段により前記濃縮液が希釈された前記洗浄液が貯留されることを特徴とする請求項１又は請求項４に記載の自動分析装置。
【請求項１０】
前記分注プローブを前記洗浄槽に移動する分注プローブ移動手段と、
前記分注プローブ移動手段により前記分注プローブが前記洗浄液槽の上方の所定の位置から下に移動し、前記洗浄液槽内の洗浄液と接触したときにその液面を検出する液面検出手段とを有し、
前記計測手段は、前記所定の位置と前記液面検出手段により検出される検出位置の間の前記分注プローブの移動距離を算出し、算出した移動距離に基づいて前記洗浄液槽内の洗浄液量を計測するようにしたことを特徴とする請求項１又は請求項４に記載の自動分析装置。
【請求項１１】
前記洗浄槽は、前記洗浄液の少なくとも第１の洗浄液を貯留する第１の洗浄液槽及び第２の洗浄液を貯留する第２の洗浄液槽からなり、
前記分注プローブを、前記第１の洗浄液槽に貯留された前記第１の洗浄液及び／又は前記第２の洗浄液槽に貯留された前記第２の洗浄液を用いて洗浄するようにしたことを特徴とする請求項１又は請求項４に記載の自動分析装置。
【請求項１２】
被検試料とこの被検試料の測定項目に対応する試薬とを反応容器に分注して、その混合液を測定する自動分析装置の洗浄方法において、
前記被検試料を分注する分注プローブを、前記測定項目の内の予め設定された影響を受ける測定項目を含む被検試料の分注前に洗浄するための洗浄液を洗浄液槽内に貯留し、
前記洗浄液槽内に貯留された前記洗浄液の量を計測手段により計測し、
前記計測手段により計測された洗浄液量が所定の量よりも少ないときに、前記洗浄液槽内に前記洗浄液を供給手段により供給することを特徴とする自動分析装置の洗浄方法。
【請求項１３】
被検試料とこの被検試料の測定項目に対応する試薬とを反応容器に分注してその混合液を測定する自動分析装置の洗浄方法において、
前記試薬を分注する分注プローブを、前記試薬の内の予め設定された影響を与える試薬を分注した後に前記影響を与える試薬から影響を受ける試薬を分注する場合、前記影響を受ける試薬の分注前に洗浄するための洗浄液を洗浄液槽に貯留し、
前記洗浄液槽内に貯留された前記洗浄液の量を計測手段により計測し、
前記計測手段により計測された洗浄液量が所定の量よりも少ないときに、前記洗浄液槽内に前記洗浄液を供給手段より供給することを特徴とする自動分析装置の洗浄方法。
【発明の詳細な説明】
【技術分野】
【０００１】
本発明は、液体中に含まれている成分を分析する自動分析装置及びその洗浄方法に係り、特に、ヒトの血液や尿などの体液を分注して体液に含まれる成分を自動的に測定する自動分析装置及びその洗浄方法に関する。
【背景技術】
【０００２】
自動分析装置は生化学検査項目や免疫検査項目などを対象とし、被検試料と各項目に該当する試薬との混合液の反応によって生ずる色調などの変化を、光の透過量を測定することにより、被検試料中の様々な成分の濃度や酵素の活性を測定する。
【０００３】
この自動分析装置では、被検試料毎に分析条件の設定により測定可能になった多数の項目の中から、検査に応じて選択された項目の測定が行われる。そして、被検試料はサンプル分注プローブによりサンプラに収納された試料容器から反応容器に分注され、試薬は試薬分注プローブにより試薬庫に収納された試薬容器から反応容器に分注される。次いで、反応容器に分注された被検試料及び試薬の混合液は撹拌子により撹拌された後、測光部により測定される。そして、サンプル分注プローブは被検試料の分注終了毎に洗浄水で洗浄され、試薬分注プローブは試薬分注終了毎に洗浄水で洗浄される。
【０００４】
しかしながら、洗浄水洗浄だけでは以前に分注した被検試料がサンプル分注プローブを介して次の被検試料に持ち越されると、次の被検試料に免疫学的検査など微量成分の測定項目が含まれている場合、被検試料間のキャリーオーバによりその測定項目の分析データが悪化してしまう問題がある。また、洗浄水洗浄だけでは以前に分注した試薬が試薬分注プローブを介して次に分注する試薬に持ち越されると、試薬間のキャリーオーバにより以前の試薬と反応して次の試薬に該当する測定項目の分析データが悪化してしまう問題がある。
【０００５】
このような問題を避けるために、影響を受けやすい測定項目を含む被検試料を分注する前に、試薬容器に収容した洗剤を用いて分注プローブを洗浄する方法や、影響を与える試薬を分注した後に、その洗剤を用いて分注プローブを洗浄してから影響を受ける試薬を分注する方法が知られている（例えば、特許文献１参照。）。
【特許文献１】特開平６−２０７９４４号公報
【発明の開示】
【発明が解決しようとする課題】
【０００６】
しかしながら、測定開始前に試料容器や試薬容器内に充分量の洗浄液を補充し忘れると、測定中に洗浄液が不足して洗浄液による分注プローブの洗浄ができなくなるため、測定動作が停止する恐れがある。
【０００７】
また、測定する被検試料や測定項目数が多いと被検試料を収容した試料容器や試薬を収容した試薬容器の数が多くなるので、収納可能な洗浄液の試料容器や試薬容器の数が限定され、測定中に洗浄液が不足して測定動作が停止する恐れがある。そして、測定中に測定動作が停止すると、洗浄液を補充する手間が掛かると共に処理能力が低下する問題がある。
【０００８】
本発明は、上記問題点を解決するためになされたもので、分注プローブの洗浄に用いる洗浄液の供給が可能な自動分析装置及びその洗浄方法を提供することを目的とする。
【課題を解決するための手段】
【０００９】
上記目的を達成するために、請求項１に係る本発明の自動分析装置は、被検試料とこの被検試料の測定項目に対応する試薬とを反応容器に分注して、その混合液を測定する自動分析装置において、前記被検試料を分注する分注プローブと、前記分注プローブを洗浄するための洗浄液を貯留する洗浄液槽と、前記洗浄液槽内に貯留された前記洗浄液の量を計測する計測手段と、前記計測手段により計測された洗浄液量が所定の量よりも少ないときに、前記洗浄液槽内に前記洗浄液を供給する供給手段とを備えたことを特徴とする。
【００１０】
また、請求項４に係る本発明の自動分析装置は、被検試料とこの被検試料の測定項目に対応する試薬とを反応容器に分注して、その混合液を測定する自動分析装置において、前記試薬を分注する分注プローブと、前記分注プローブを洗浄するための洗浄液を貯留する洗浄液槽と、前記洗浄液槽内に貯留された前記洗浄液の量を計測する計測手段と、前記計測手段により計測された洗浄液量が所定の量よりも少ないときに、前記洗浄液槽内に前記洗浄液を供給する供給手段とを備えたことを特徴とする。
【００１１】
更に、請求項１２に係る本発明の自動分析装置の洗浄方法は、被検試料とこの被検試料の測定項目に対応する試薬とを反応容器に分注して、その混合液を測定する自動分析装置の洗浄方法において、前記被検試料を分注する分注プローブを、前記測定項目の内の予め設定された影響を受ける測定項目を含む被検試料の分注前に洗浄するための洗浄液を洗浄液槽内に貯留し、前記洗浄液槽内に貯留された前記洗浄液の量を計測手段により計測し、前記計測手段により計測された洗浄液量が所定の量よりも少ないときに、前記洗浄液槽内に前記洗浄液を供給手段により供給することを特徴とする。
【００１２】
更にまた、請求項１３に係る本発明の自動分析装置の洗浄方法は、被検試料とこの被検試料の測定項目に対応する試薬とを反応容器に分注してその混合液を測定する自動分析装置の洗浄方法において、前記試薬を分注する分注プローブを、前記試薬の内の予め設定された影響を与える試薬を分注した後に前記影響を与える試薬から影響を受ける試薬を分注する場合、前記影響を受ける試薬の分注前に洗浄するための洗浄液を洗浄液槽に貯留し、前記洗浄液槽内に貯留された前記洗浄液の量を計測手段により計測し、前記計測手段により計測された洗浄液量が所定の量よりも少ないときに、前記洗浄液槽内に前記洗浄液を供給手段より供給することを特徴とする。
【発明の効果】
【００１３】
本発明によれば、分注プローブを強力に洗浄できる洗浄液を貯留する洗浄槽を設け、この洗浄槽内に貯留した洗浄液が所定の量よりも少ないときに、その洗浄液を洗浄槽に供給することにより、洗浄液を補充する手間を省くと共に処理能力の低下を防ぎ、精度よく測定することができる。
【発明を実施するための最良の形態】
【００１４】
以下に、本発明による自動分析装置の実施例を、図１乃至図１６を参照して説明する。
【実施例】
【００１５】
図１は、本発明の実施例に係る自動分析装置の構成を示したブロック図である。この自動分析装置２００は、様々な測定項目の標準試料や被検試料を選択した測定項目毎に測定する分析部１９と、分析部１９の測定動作の制御を行う分析制御部３０と、分析部１９で標準試料や被検試料の測定により生成された標準データや被検データを処理してキャリブレーションテーブルの作成や分析データの生成を行うデータ処理部４０と、データ処理部４０からのキャリブレーションテーブルや分析データを出力する出力部５０と、測定項目毎の分析条件の設定や被検試料毎の測定項目の選択入力、各種コマンド信号の入力等を行う操作部６０と、上述したこれらのユニットを統括して制御するシステム制御部７０とを備えている。
【００１６】
分析部１９は、標準試料、被検試料などのサンプルを取り扱うユニットやこのユニットを純水装置１１０の水を洗浄水として用いて洗浄するユニットを有するサンプル部２０と、サンプル中の測定項目の成分と反応させるための試薬を取り扱うユニットやこのユニットを前記洗浄水を用いて洗浄するユニットを有する試薬部２１とを備えている。
【００１７】
また、サンプルと試薬の混合液を取り扱うユニットを有する反応部２２と、サンプル部２０及び試薬部２１のサンプルや試薬を取り扱うユニットを洗浄水よりも強力に洗浄するための洗浄液を貯留する洗浄部２３とを備えている。そして、標準試料や被検試料の測定により生成された標準データや被検データなどは、反応部２２からデータ処理部４０に出力される。
【００１８】
分析制御部３０は、分析部１９のサンプル部２０、試薬部２１、反応部２２を構成している各ユニット、及び洗浄部２３を構成している各ユニットを駆動する機構を備えた機構部３１と、機構部３１の各機構を制御する制御部３２とを備えている。
【００１９】
データ処理部４０は、分析部１９の反応部２２から出力された標準データから各測定項目のキャリブレーションテーブルの作成や、反応部２２から出力された被検データから分析データの生成などを行う演算部４１と、演算部４１で作成されたキャリブレーションテーブルや生成された分析データなどを保存する記憶部４２とを備えている。
【００２０】
演算部４１は、反応部２２から出力された各測定項目の標準データから各測定項目のキャリブレーショテーブルを作成して、記憶部４２に保存すると共に出力部５０に出力する。また、反応部２２から出力された被検データに対して、この被検データに対応する測定項目のキャリブレーションテーブルを記憶部４２から読み出した後、このキャリブレーションテーブルを用いて分析データを生成する。そして、生成した分析データを記憶部４２に保存すると共に出力部５０に出力する。
【００２１】
記憶部４２は、ハードディスクなどを備え、演算部４１から出力されたキャリブレーションテーブルや分析データなどを保存する。
【００２２】
出力部５０は、データ処理部４０の演算部４１から出力されたキャリブレーションテーブルや分析データなどを印刷出力する印刷部５１及び表示出力する表示部５２を備えている。
【００２３】
印刷部５１は、プリンタなどを備え、演算部４１から出力されたキャリブレーションテーブル、分析データなどを予め設定されたフォーマットに従って、プリンタ用紙などに印刷出力する。
【００２４】
表示部５２は、ＣＲＴや液晶パネルなどのモニタを備え、演算部４１から出力されたキャリブレーションテーブルや分析データなどの表示を行う。また、被検体のＩＤ及び氏名などの被検体情報を入力する被検体情報入力画面、測定項目毎の分析条件を設定するための分析条件設定画面、被検試料毎に測定項目を設定するための測定項目設定画面等の表示を行う。
【００２５】
更に、分析部１９の洗浄部２３における洗浄液を用いてサンプル部２０のユニットを洗浄する条件である影響を受ける測定項目を設定するための影響項目設定画面や、試薬部２１のユニットを洗浄する条件である影響を与える試薬及びこの試薬から影響を受ける試薬を設定するための影響試薬設定画面などの表示を行う。
【００２６】
操作部６０は、キーボード、マウス、ボタン、タッチキーパネルなどの入力デバイスを備え、測定項目毎の分析条件の設定、被検体情報の入力、被検試料毎の測定項目の選択入力、影響を受ける測定項目の設定、影響を与える試薬及びこの試薬から影響を受ける試薬の設定などの様々な操作を行う。
システム制御部７０は、図示しないＣＰＵと記憶回路を備え、操作部６０から供給されるコマンド信号、測定項目の分析条件、被検体情報、被検試料毎の測定項目、影響を受ける測定項目、影響を与える試薬及びこの試薬から影響を受ける試薬など操作部６０からの入力情報を記憶する。そして、記憶したこれらの情報に基づいて、分析部１９の各分析ユニットを一定サイクルの所定のシーケンスで測定動作させる制御や、キャリブレーションテーブルの作成、分析データの算出と出力などシステム全体の制御を行う。
【００２７】
次に、図２乃至図５を参照して、分析部１９のサンプル部２０、試薬部２１、及び反応部２２の構成の詳細を説明する。図２は、分析部１９のサンプル部２０、試薬部２１、及び反応部２２の構成を示す斜視図である。図３は、サンプル部２０、反応部２２、及び洗浄部２３の一部のユニットの配置を示す図である。図４及び図５は、試薬部２１、反応部２２、及び洗浄部２３の一部のユニットの配置を示す図である。
【００２８】
図２において、サンプル部２０は、標準試料、被検試料などのサンプルを収容する試料容器１７と、この試料容器１７を回動可能に保持するディスクサンプラ６と、ディスクサンプラ６に収納した試料容器１７内のサンプルを吸引して反応部２２に吐出するサンプル分注プローブ１６とを備えている。
【００２９】
また、サンプル分注プローブ１６を用いてサンプルの吸引及び吐出を行うサンプル分注ポンプ部１０ａと、被検試料の分注終了毎に純水装置１１０の洗浄水を用いてサンプル分注プローブ１６の洗浄を行う洗浄水槽１６ａとを備えている。
【００３０】
更に、サンプル分注プローブ１６を、図３に示した破線の円軌道に沿って矢印Ｒ１及びＲ２方向への水平移動、円軌道下に配置される洗浄水槽１６ａ、試料容器１７、反応部２２、及び洗浄部２３の一部の上方の各上停止位置への停止、及び各上停止位置における上下移動を可能に保持するサンプル分注アーム１０とを備えている。
【００３１】
更にまた、上停止位置から下への移動によりサンプル分注プローブ１６が試料容器１７内のサンプルや洗浄部２３の洗浄液と接触したときに、その液面を検出する液面検出器１８ａを備えている。そして、検出したサンプルや洗浄液の検出信号を分析制御部３０の制御部３２に出力する。制御部３２では、液面検出器１８ａからの検出信号に基づいて、サンプル分注プローブ１６の先端部がサンプルや洗浄液の液面から所定の深さに達した液面検出位置でサンプル分注アーム１０を停止させる。
【００３２】
試薬部２１は、サンプルに対して選択的に反応する複数の第１試薬及びこの第１試薬と対をなす第２試薬が入った試薬容器７ａ，７ｂと、試薬容器７ａを収納した試薬ラック１ａを回動可能に保持する試薬庫２と、試薬容器７ｂを収納した試薬ラック１ｂを回動可能に保持する試薬庫３と、試薬庫２，３の試薬容器７ａ，７ｂから第１及び第２試薬を吸引して、反応部２２に吐出する第１及び第２試薬分注プローブ１４，１５とを備えている。
【００３３】
また、第１及び第２試薬分注プローブ１４，１５を用いて第１及び第２試薬の吸引及び吐出を行う試薬分注ポンプ部８ａ，９ａと、第１及び第２試薬の分注終了毎に純水装置１１０の洗浄水を用いて第１及び第２試薬分注プローブ１４，１５を洗浄する洗浄水槽１４ａ，１５ａとを備えている。
【００３４】
更に、第１及び第２試薬分注プローブ１４，１５を、図４及び図５に示した破線の円軌道に沿って矢印Ｒ１及びＲ２方向への水平移動、円軌道下に配置された洗浄水槽１４ａ，１５ａ、試薬容器７ａ，７ｂ、反応部２２、及び洗浄部２３の上方の各上停止位置への停止、及び各上停止位置における上下移動を可能に保持する第１及び第２試薬分注アーム８，９を備えている。
【００３５】
更にまた、上停止位置からの下移動により第１及び第２試薬分注プローブ１４，１５が試薬容器７ａ，７ｂ内の第１及び第２試薬や洗浄部２３の洗浄液と接触したときに、その液面を検出する液面検出器１８ｂ，１８ｃを備えている。そして、検出した第１及び第２試薬や洗浄液の検出信号を制御部３２に出力する。制御部３２では、液面検出器１８ｂ，１８ｃからの検出信号に基づいて、第１及び第２試薬分注プローブ１４，１５の先端部が第１及び第２試薬や洗浄液の液面から所定の深さに達した液面検出位置で第１及び第２試薬分注アーム８，９を停止させる。
【００３６】
反応部２２は、サンプル部２０のサンプル分注プローブ１６から吐出されたサンプル、試薬部２１の第１試薬分注プローブ１４から吐出された第１試薬、及び第２試薬分注プローブ１５から吐出された第２試薬を収容する円周上に複数配置された反応容器４と、この反応容器４を回転可能に保持する反応ディスク５と、反応容器４内のサンプル及び第１試薬からなる第１の混合液を撹拌する第１撹拌子１１ａ１とを備えている。
【００３７】
また、第１の混合液の撹拌終了毎に第１撹拌子１１ａ１を洗浄水を用いて洗浄する洗浄水槽１１ａ２と、第１の混合液を収容した反応容器４及び洗浄水槽１１ａ２の各上停止位置への水平移動、及び各上停止位置における上下移動を可能に第１撹拌子１１ａ１を保持する第１撹拌ユニット１１ａとを備えている。
【００３８】
更に、反応容器４内のサンプル、第１試薬、及び第２試薬からなる第２の混合液を撹拌する第２撹拌子１１ｂ１と、第２の混合液の撹拌終了毎に第２撹拌子１１ｂ１を洗浄水を用いて洗浄する洗浄水槽１１ｂ２と、第２の混合液を収容した反応容器４及び洗浄水槽１１ｂ２の各上停止位置への水平移動、及び各上停止位置における上下移動を可能に第２撹拌子１１ｂ１を保持する第２撹拌ユニット１１ｂとを備えている。
【００３９】
更にまた、撹拌後の第１の混合液や第２の混合液を収容した反応容器４に光を照射して、透過した光から設定波長における吸光度を測定する測光ユニット１３と、測定を終えた反応容器４内の第１及び第２の混合液を吸引する吸引ノズル、第１及び第２の混合液を吸引した後の反応容器４内をアルカリ性洗浄液、酸性洗浄液、及び水で洗浄する複数の洗浄ノズル、及び洗浄した後の反応容器４内を乾燥する乾燥ノズルを上下移動可能に保持する洗浄ユニット１２とを備えている。
【００４０】
そして、反応容器４は、第１及び第２の混合液の測定終了毎に、洗浄ユニット１２によりその反応容器４内が洗浄及び乾燥され、再び測定に使用される。また、測光ユニット１３は、吸光度測定により生成した各測定項目の標準試料の標準データや被検試料の被検データをデータ処理部４０に出力する。
【００４１】
次に、図２乃至図１２を参照して、洗浄部２３の構成の詳細について説明する。図６は、洗浄部２３の構成を示す図である。図７は、表示部５２に表示される影響項目設定画面の一例を示す図である。図８、図９、図１１、及び図１２は、図６の洗浄部２３を構成している各洗浄部の構成を示す図である。図１０は、表示部５２に表示される影響試薬設定画面の一例を示す図である。
【００４２】
図６において、洗浄部２３は、サンプル部２０のサンプル分注プローブ１６の洗浄に用いる洗浄液を貯留するサンプル分注プローブ洗浄部８０と、試薬部２１の第１試薬分注プローブ１４の洗浄に用いる洗浄液を貯留する第１試薬分注プローブ洗浄部９０と、試薬部２１の第２試薬分注プローブ１５の洗浄に用いる洗浄液を貯留する第２試薬分注プローブ洗浄部１００とを備えている。
【００４３】
まず、サンプル分注プローブ洗浄部８０の構成の詳細を説明する。サンプル分注プローブ洗浄部８０は、サンプル分注プローブ１６を洗浄水よりも強力に洗浄するための洗浄液を補充可能に貯留している。この洗浄液を用いてサンプル分注プローブ１６の洗浄を行うために、サンプル分注プローブ１６を介して以前に分注した被検試料から影響を受けやすい例えば微量成分である免疫学的検査項目などの影響を受ける測定項目、及びこの測定項目の洗浄に適した洗浄液を表示部５２の影響項目設定画面に設定する。
【００４４】
図７は、表示部５２に表示される影響項目設定画面の一例を示した図である。この影響項目設定画面５３は、分析条件設定画面で設定された項目の項目名を略称で表示する「項目」の欄と、サンプル分注プローブ１６の洗浄に用いる洗浄液の洗浄液名を表示する「洗浄液」の欄と、影響を受ける測定項目の項目名及びこの項目名の測定項目の洗浄に適した洗浄液を設定するための影響項目設定エリア５３ａから構成される。
【００４５】
「洗浄液」の欄には、例えば酸性洗浄液、アルカリ性洗浄液、界面活性剤を含む中性洗浄液等である「第１の洗浄液」、及びこの「第１の洗浄液」とは異なる洗浄力を有する洗浄液である「第２の洗浄液」が表示されている。また、「項目」の欄には、分析条件設定画面に設定された例えば「ＧＯＴ」、「ＧＰＴ」、「Ｃａ」、「ＨＢｓＡｇ」などの項目名が表示されている。
【００４６】
影響項目設定エリア５３ａには、「項目」の欄の影響を受ける測定項目の項目名を選択し、選択した項目名に対応する「洗浄液」の欄の「第１の洗浄液」、又は「第２の洗浄液」、又は「第１及び第２の洗浄液」を選択すると、選択した項目名及び洗浄液に対応する位置に「○」が表示され、選択されない位置には「・」が表示される。
【００４７】
そして、操作部６０から影響を受ける測定項目として例えば「ＨＢｓＡｇ」を選択し、また「ＨＢｓＡｇ」の洗浄に適した洗浄液として例えば「第２の洗浄液」を選択すると、影響項目設定エリア５３ａの「ＨＢｓＡｇ」及び「第１の洗浄液」に対応する位置５３ｂに「○」が表示される。影響項目設定画面５３に設定された影響を受ける測定項目及び浄液の情報は、システム制御部７０の内部記憶回路に保存される。
【００４８】
図８は、サンプル分注プローブ洗浄部８０の構成を示した図である。このサンプル分注プローブ洗浄部８０は、図７の影響項目設定画面５３に表示された「第１の洗浄液」に対応する第１の洗浄液を貯留する第１の洗浄部８１と、「第２の洗浄液」に対応する第２の洗浄液を貯留する第２の洗浄部８２と、第１及び第２の洗浄部８１，８２の第１及び第２の洗浄液を外部に排出する排液ポンプ８３とを備えている。
【００４９】
第１の洗浄部８１は、サンプル分注プローブ１６の洗浄に用いる第１の洗浄液を貯留する第１の洗浄液槽８１ｃと、この第１の洗浄液槽８１ｃに第１の洗浄液を供給する供給部８１ｂとを備えている。
【００５０】
第１の洗浄液槽８１ｃは、図３に示したサンプル分注プローブ１６の円軌道の下方に配置される。そして、図９に示すように、供給部８１ｂから供給される第１の洗浄液を貯留する洗浄槽８１ｉと、チューブを介して供給部８１ｂに接続された吐出管８１ｊと、洗浄槽８１ｉ内に貯留した第１の洗浄液を外部に排出するための排液口８１ｋと、洗浄槽８１ｉ内に貯留した第１の洗浄液を室温よりも高い所定の温度に加熱する加熱部８１ｍとを有する。
【００５１】
加熱部８１ｍは、洗浄槽８１ｉの外周に配置され、洗浄槽８１ｉを介して第１の洗浄液を周囲よりも高い温度に加熱するヒータ、洗浄槽８１ｉ内の第１の洗浄液の温度を検出する温度センサ、及びヒータを制御する制御回路を備えている。そして、温度センサからの温度検出信号に基づく制御回路の制御により、第１の洗浄液が所定の温度よりも低いときにヒータで加熱する。
【００５２】
このように、第１の洗浄液を室温よりも高い温度に加熱しておくことにより、この第１の洗浄液を用いてサンプル分注プローブ１６を洗浄したときに、サンプル分注プローブ１６に付着した汚れを強力に洗い落とすことができる。
【００５３】
供給部８１ｂは、図２に示した分析部１９の下側に配置され、例えば第１の洗浄液の濃縮液を収容する洗剤ボトル８１ａと、第１の洗浄液槽８１ｃ内に第１の洗浄液を供給する供給ポンプ８１ｄと、チューブを介して第１端部が洗剤ボトル８１ａに接続し、また第２端部が第１の洗浄液槽８１ｃの吐出管８１ｊに接続し、更に第３端部が供給ポンプ８１ｄに接続した三方弁８１ｅとを備えている。
【００５４】
洗剤ボトル８１ａは、第１の洗浄液の濃縮液であるため、広い収納場所を必要とせず装置の小型化を図ることができる。なお、第１の洗浄液として酸性洗浄液を用いる場合、反応部２２の洗浄ユニット１２で反応容器４の洗浄に用いる酸性性洗浄液と共用するようにしてもよい。
【００５５】
供給ポンプ８１ｄは、洗剤ボトル８１ａから第１の洗浄液の濃縮液を吸引する洗剤ポンプ８１ｆと、洗剤ボトル８１ａから吸引した濃縮液を希釈して第１の洗浄液槽８１ｃに供給する希釈ポンプ８１ｇと、チューブを介して第１端部が三方弁８１ｅの第３端部に接続し、また第２端部が洗剤ポンプ８１ｆに接続し、更に第３端部が希釈ポンプ８１ｇに接続した三方の分岐管８１ｈとを備えている。
【００５６】
洗剤ポンプ８１ｆは、第１及び第３端部が開放した三方弁８１ｅ、及び分岐管８１ｈを介して、洗剤ボトル８１ａから例えば分岐管８１ｈと三方弁８１ｅの間のチューブ内の三方弁８１ｅの近傍の矢印Ｌ１範囲内に第１の洗浄液の濃縮液を吸引する。
【００５７】
希釈ポンプ８１ｇは、洗剤ポンプ８１ｆが吸引した第１の洗浄液の濃縮液の量の例えば１００倍量の水を純水装置１１０から吸引する。そして、洗剤ポンプ８１ｆが吸引した後、分岐管８１ｈ、及び第２及び第３端部を開放した三方弁８１ｅを介して、吸引した水と共にＬ１範囲の第１の洗浄液の濃縮液を第１の洗浄液槽８１ｃに供給する。この供給により、濃縮液が水で希釈された第１の洗浄液が第１の洗浄液槽８１ｃ内に貯留される。
【００５８】
三方弁８１ｅは、例えば三方電磁弁であり、洗剤ポンプ８１ｆにより洗剤ボトル８１ａから第１の洗浄液の濃縮液の吸引が行われるときには、第１及び第３端部を開放し、第２端部を閉じている。また、第１の洗浄液槽８１ｃ内に吸引した第１の洗浄液の濃縮液の供給が行われるときには、第２及び第３端部を開放し、第１端部を閉じている。
【００５９】
第２の洗浄部８２の構成を説明する。第２の洗浄部８２が第１の洗浄部８１と異なる点は、第１の洗浄液を第２の洗浄液に置き換えた点である。第１の洗浄部８１と同じ機能を有する第２の洗浄部８２の構成ユニットを、第１の洗浄部８１と同じ名称で呼び、異なる符合を付している。
【００６０】
第２の洗浄部８２は、サンプル分注プローブ１６の洗浄に用いる第２の洗浄液を貯留する第２の洗浄液槽８２ｃと、この第２の洗浄液槽８２ｃに第２の洗浄液を供給する供給部８２ｂとを備えている。
【００６１】
第２の洗浄液槽８２ｃは、図３に示したサンプル分注プローブ１６の円軌道の下方に配置される。そして、供給部８２ｂからの第２の洗浄液を貯留する洗浄槽８２ｉと、供給部８２ｂから供給される第２の洗浄液を洗浄槽内８２ｉ内に吐出する吐出管８２ｊと、洗浄槽８２ｉ内に貯留した第２の洗浄液を外部に排出するための排液口８２ｋと、洗浄槽８２ｉ内に貯留した第２の洗浄液を周囲よりも高い所定の温度に加熱する加熱部８２ｍとを有する。
【００６２】
供給部８２ｂは、分析部１９の下側に配置され、第２の洗浄液の濃縮液を収容した洗剤ボトル８２ａと、第２の洗浄液槽８２ｃ内に第２の洗浄液を供給する供給ポンプ８２ｄと、チューブを介して第１端部が洗剤ボトル８２ａに接続し、また第２端部が第２の洗浄液槽８２ｃに接続し、更に第３端部が供給ポンプ８２ｄに接続した三方弁８２ｅとを備えている。
【００６３】
供給ポンプ８２ｄは、洗剤ボトル８２ａから第２の洗浄液の濃縮液を吸引する洗剤ポンプ８２ｆと、洗剤ボトル８２ａから吸引した第２の洗浄液の濃縮液を希釈して第２の洗浄液槽８２ｃに供給する希釈ポンプ８２ｇと、チューブを介して第１端部が三方弁８２ｅの第３端部に接続し、また第２端部が洗剤ポンプ８２ｆに接続し、更に第３端部が希釈ポンプ８２ｇに接続した三方の分岐管８２ｈとを備えている。なお、第２の洗浄液が例えばアルカリ性洗浄液である場合、反応部２２の洗浄ユニット１２で反応容器４の洗浄に用いるアルカリ性洗浄液と共用するようにしてもよい。
【００６４】
なお、影響項目設定画面５３に影響を受ける測定項目の洗浄液として「第１及び第２の洗浄液」を選択することにより、サンプル分注プローブ洗浄部８０の第１の洗浄液及び第２の洗浄液を用いて、サンプル分注プローブ１６の洗浄が行われる。
【００６５】
また、サンプル分注プローブ１６は、測定終了後の洗浄のときにも、サンプル分注プローブ洗浄部８０の洗浄液を用いて洗浄される。
【００６６】
このように、サンプル分注プローブ洗浄部８０の第１及び第２の洗浄液槽８１ｃ，８２ｃに貯留した第１及び第２の洗浄液を用いてサンプル分注プローブ１６を洗浄することにより、サンプル分注プローブ１６に残存した被検試料をサンプル部２０の洗浄水槽１６ａの洗浄水による洗浄よりも強力に洗い落とすことができる。
【００６７】
また、供給部８１ｂ，８２ｂを設けることにより、第１及び第２の洗浄槽８１ｃ，８２ｃ内に第１，第２の洗浄液を供給することができる。
【００６８】
更に、第１及び第２の洗浄槽８１ｃ，８２ｃを分析部１９上に配置し、供給部８１ｂ，８２ｂを分析部１９の下側に配置することにより、分析部１９の占有面積の増大を防ぐことができる。また、洗剤ボトル８１ａ，８２ａ内の第１及び第２の洗浄液の濃縮液を、希釈ポンプ８１ｇ，８２ｇを用いて外部の純水装置１１０からの水で希釈して第１及び第２の洗浄槽８１ｃ，８２ｃ内に供給することにより、装置の小型化を図ることができる。
【００６９】
次に、第１及び第２試薬分注プローブ洗浄部９０，１００の構成の詳細を説明する。第１及び第２試薬分注プローブ洗浄部９０，１００は、第１及び第２試薬分注プローブ１４，１５を洗浄するためのサンプル分注プローブ洗浄部８０と同じ第１及び第２の洗浄液を補充可能に貯留している。なお、第１及び第２の洗浄液と異なる第３及び第４の洗浄液を用いるようにしてもよい。
【００７０】
そして、表示部５２の影響試薬設定画面に、第１試薬分注プローブ１４を介して影響を与えやすい第１試薬を、影響を与える第１試薬として設定する。また、第１試薬分注プローブ１４を介して影響を与える第１試薬から影響を受けやすい第１試薬を、影響を受ける第１試薬として設定する。更に、影響を与える第１試薬を第１試薬分注プローブ１４から洗い落とすための洗浄液を設定する。
【００７１】
上記第１試薬の場合と同様にして、影響を与える第２試薬、この影響を与える第２試薬から第２試薬分注プローブ１５を介して影響を受ける第２試薬、及び影響を与える第２試薬を第２試薬分注プローブ１５から洗い落とすための洗浄液を設定する。
【００７２】
この設定により、第１及び第２試薬分注プローブ１４，１５は、測定中に影響を与える第１及び第２試薬を分注した後に影響を受ける第１及び第２試薬の分注が行われる場合、影響を受ける第１及び第２試薬の分注前に、第１及び第２試薬分注プローブ洗浄部９０，１００に貯留した洗浄液を用いて洗浄される。なお、測定終了後の洗浄のときにも、第１及び第２試薬分注プローブ洗浄部９０，１００の洗浄液を用いて洗浄される。
【００７３】
図１０は、表示部５２に表示される影響試薬設定画面の一例を示した図である。この影響試薬設定画面５４は、分析条件設定画面で設定された項目の第１試薬の項目名を略称で横軸に表示する「影響を与える第１試薬」及び縦軸に表示する「影響を受ける第１試薬」の欄と、この欄に影響を与える第１試薬の項目名、影響を受ける第１試薬の項目名、及び影響を与える第１試薬の洗浄に適した洗浄液を設定するための第１試薬設定エリア５４ａとにより構成される。
【００７４】
また、分析条件設定画面で設定された項目の第２試薬の項目名を略称で横軸に表示する「影響を与える第２試薬」及び縦軸に表示する「影響を受ける第２試薬」の欄と、この欄に影響を与える第２試薬の項目名、影響を受ける第２試薬の項目名、及び影響を与える第２試薬の洗浄に適した洗浄液を設定するための第２試薬設定エリア５４ｂとにより構成される。
【００７５】
「影響を与える第１試薬」及び「影響を受ける第１試薬」の欄の横軸には、図７に示した「項目」の欄と同じ項目名である「ＧＯＴ」、「ＧＰＴ」、「Ｃａ」、及び「ＨＢｓＡｇ」などが表示されている。また、縦軸には、横軸と同じ項目名が表示されている。
【００７６】
第１試薬設定エリア５４ａでは、「影響を与える第１試薬」及び「影響を受ける第１試薬」の欄の横軸に表示された影響を与える第１試薬の項目名、及びこの項目名の第１試薬から影響を受ける第１試薬の項目名を選択する。また、影響を与える第１試薬の洗浄に適した第１の洗浄液及び／又は第２の洗浄液を選択する。この選択した横軸及び縦軸の項目名の位置に、選択した例えば第１の洗浄液に対応する「１」、又は第２の洗浄液に対応する「２」、又は第１及び第２の洗浄液に対応する「３」が表示される。
【００７７】
そして、項目名を選択しない位置には場合には「・」が表示される。また、横軸及び縦軸の項目名が同じである位置には、項目名の選択ができないように「−」が表示されている。
【００７８】
「影響を与える第２試薬」及び「影響を受ける第２試薬」の欄の横軸には、「影響を与える第１試薬」及び「影響を受ける第１試薬」の欄の横軸の項目名の第１試薬と対をなす第２試薬に対応する「ＧＯＴ」、「ＧＰＴ」、「Ｃａ」、及び「ＨＢｓＡｇ」などの項目名が表示されている。また、縦軸には、横軸と同じ項目名が表示されている。なお、第２試薬を有しない項目名は表示されないようになっている。
【００７９】
第２試薬設定エリア５４ｂには、「影響を与える第２試薬」及び「影響を受ける第２試薬」の欄の横軸に表示された影響を与える第２試薬の項目名、この項目名の第２試薬から影響を受ける第２試薬の項目名、及び影響を与える第２試薬の洗浄に適した第１の洗浄液及び／又は第２の洗浄液を選択する。この選択した横軸及び縦軸の項目名の位置に、選択した第１の洗浄液に対応する「１」、又は第２の洗浄液に対応する「２」、又は第１及び第２の洗浄液に対応する「３」が表示される。
【００８０】
そして、項目名を選択しない位置には場合には「・」が表示される。また、横軸及び縦軸の項目名が同じである位置には、項目名の選択ができないように「−」が表示されている。
【００８１】
ここで、操作部６０から例えば「影響を与える第１試薬」及び「影響を受ける第１試薬」の欄の影響を与える第１試薬の項目名として「ＧＰＴ」を選択し、「影響を受ける第１試薬」の欄の影響を受ける第１試薬の項目名として「Ｃａ」を選択する。また、第１の洗浄液の選択により、第１試薬設定エリア５４ａの横軸の「ＧＰＴ」に対応する縦軸の「Ｃａ」の位置５４ｃに「１」が表示される。そして、影響試薬設定画面５４に設定された影響を与える第１及び第２試薬、この第１及び第２試薬から影響を受ける第１及び第２試薬、及び影響を与える第１及び第２試薬の洗浄に適した洗浄液の情報は、システム制御部７０の内部記憶回路に保存される。
【００８２】
図１１及び図１２は、洗浄部２３における第１及び第２試薬分注プローブ洗浄部９０，１００の構成を示した図である。各第１及び第２試薬分注プローブ洗浄部９０，１００は、サンプル分注プローブ洗浄部８０と同じユニットで構成される。サンプル分注プローブ洗浄部８０と同じ機能を有する各第１及び第２試薬分注プローブ洗浄部９０，１００の各構成ユニットをサンプル分注プローブ洗浄部８０と同じ名称で呼び、異なる符号を付して各構成ユニットの説明を省略する。
【００８３】
このように、第１及び第２試薬分注プローブ洗浄部９０，１００の第１及び第２の洗浄液槽９１ｃ，９２ｃ，１０１ｃ，１０２ｃに貯留した第１及び第２の洗浄液を用いて第１及び第２試薬分注プローブ１４，１５を洗浄することにより、第１及び第２試薬分注プローブ１４，１５に残存する第１及び第２試薬を、試薬部２１の洗浄水槽１４ａ，１５ａにおける洗浄水による洗浄よりも強力に洗い落とすことができる。
【００８４】
また、供給部９１ｂ，９２ｂ，１０１ｂ，１０２ｂを設けることにより、第１及び第２の洗浄槽９１ｃ，９２ｃ，１０１ｃ，１０２ｃ内に第１及び第２の洗浄液を供給することができる。
【００８５】
更に、第１及び第２の洗浄槽９１ｃ，９２ｃ，１０１ｃ，１０２ｃを分析部１９上に配置し、供給部９１ｂ，９２ｂ，１０１ｂ，１０２ｂを分析部１９の下側に配置することにより、分析部１９の占有面積の増大を防ぐことができる。また、洗剤ボトル９１ａ，９２ａ，１０１ａ，１０２ａ内の第１及び第２の洗浄液の濃縮液を、希釈ポンプ９１ｇ，９２ｇ，１０１ｇ，１０２ｇを用いて外部の純水装置１１０からの水で希釈して第１及び第２の洗浄槽９１ｃ，９２ｃ，１０１ｃ，１０２ｃ内に供給することにより、装置の小型化を図ることができる。
【００８６】
なお、サンプル分注プローブ洗浄部８０、及び第１及び第２試薬分注プローブ洗浄部９０，１００の３つの供給部８１ｂ，９１ｂ，１０１ｂを、第１の洗浄液を供給する１つの第１の洗浄液供給部に置き換えて共用し、この第１の洗浄液供給部からの第１の洗浄液を第１の洗浄液槽８１ｃ側及び第１の洗浄液槽９１ｃ，１０１ｃ側に切替可能な第１の三方弁と、第１の三方弁を介しての第１の洗浄液槽９１ｃ，１０１ｃ側への第１の洗浄液を第１の洗浄液槽９１ｃ側及び第１の洗浄液槽１０１ｃ側に切替可能な第２の三方弁とを設ける。そして、第１の洗浄液供給部からの第１の洗浄液を、第１及び第２の三方弁を切替えて各第１の洗浄液槽８１ｃ，９１ｃ，１０１ｃに供給するようにしてもよい。
【００８７】
また、３つの供給部８２ｂ，９２ｂ，１０２ｂを、第２の洗浄液を供給する１つの第２の洗浄液供給部に置き換えて共用し、この第２の洗浄液供給部からの第２の洗浄液を第１の洗浄液槽８２ｃ側及び第２の洗浄液槽９２ｃ，１０２ｃ側に切換可能な第３の三方弁と、第３の三方弁を介しての第２の洗浄液槽９２ｃ，１０２ｃ側への第２の洗浄液を第２の洗浄液槽９２ｃ側及び第２の洗浄液槽１０２ｃ側に切換可能な第４の三方弁とを設ける。そして、第２の洗浄液供給部からの第２の洗浄液を、第３及び第４の三方弁を切替えて各第２の洗浄液槽８２ｄ，９２ｄ，１０２ｄに供給するようにしてもよい。
【００８８】
これにより、第１及び第２の洗浄液を第１及び第２の洗浄液槽に供給する供給部の数を三分の一に減らすことができる。
【００８９】
更に、サンプル分注プローブ洗浄部８０、及び第１及び第２試薬分注プローブ洗浄部９０，１００の各第１の洗浄部８１，９１，１０１及び各第２の洗浄部８２，９２，１０２に加えて、第１の洗浄液及び第２の洗浄液では洗浄不足となる成分に対して強い洗浄力を発揮する、例えば界面活性剤を含む洗浄液や界面活性剤を含むアルカリ性洗浄液や酸性洗浄液等を貯留する複数の洗浄液槽及び各洗浄液槽への供給が可能な複数の供給部を設けるようにしてもよい。
【００９０】
次に、図２乃至図１２を参照して、分析制御部３０の構成を詳細に説明する。  
分析制御部３０の機構部３１は、サンプル部２０におけるディスクサンプラ６を回動する機構、反応ディスク５を回転する機構、サンプル分注アーム１０を回動及び上下移動する機構、サンプル分注プローブ１６を介してのサンプルの吸引及び吐出や、洗浄水槽１６ａにサンプル分注プローブ１６を洗浄する洗浄水の供給を行うサンプル分注ポンプ部１０ａを駆動する機構等を備えている。
【００９１】
また、試薬部２１における試薬庫２，３を夫々回動する機構、第１及び第２試薬分注アーム８，９を夫々回動及び上下移動する機構、第１及び第２試薬分注プローブ１４，１５を介しての第１及び第２試薬の吸引及び吐出や、洗浄水槽１４ａ，１５ａに第１及び第２試薬分注プローブ１４，１５を洗浄する洗浄水の供給を行う試薬分注ポンプ部８ａ，９ａを夫々駆動する機構等を備えている。
【００９２】
更に、反応部２２における第１及び第２撹拌ユニット１１ａ，１１ｂを夫々回動及び上下移動する機構、洗浄ユニット１２を上下移動する機構、第１及び第２撹拌子１１ａ１，１１ｂ１を夫々撹拌駆動する機構、洗浄ユニット１２の吸引ノズルから第１及び第２の混合液を吸引する吸引ポンプを駆動する機構を備えている。また、洗浄ユニット１２の各洗浄ノズルからアルカリ性洗浄液、酸性洗浄液、及び水の吐出及び吸引を行う洗浄ポンプを夫々駆動する機構、及び洗浄ユニット１２の乾燥ノズルから吸引を行う乾燥ポンプを駆動する機構等を備えている。
【００９３】
更にまた、洗浄部２３におけるサンプル分注プローブ洗浄部８０、第１試薬分注プローブ洗浄部９０、及び第２試薬分注プローブ洗浄部１００における洗剤ポンプ８１ｆ，８２ｆ，９１ｆ，９２ｆ，１０１ｆ，１０２ｆを夫々駆動する機構を備えている。また、希釈ポンプ８１ｇ，８２ｇ，９１ｇ，９２ｇ，１０１ｇ，１０２ｇを夫々駆動する機構、及び三方弁８１ｅ，８２ｅ，９１ｅ，９２ｅ，１０１ｅ，１０２ｅを夫々第１及び第３端部と第２及び第３端部に開放する機構等を備えている。
【００９４】
制御部３２は、機構部３１の各機構を制御する制御回路を備え、分析サイクル単位で、機構部３１にサンプル部２０のディスクサンプラ６、サンプル分注アーム１０、及びサンプル分注ポンプ部１０ａ等と、試薬部２１の試薬庫２、試薬庫３、試薬分注ポンプ部８ａ、試薬分注ポンプ部９ａ、第１試薬分注アーム８、及び第２試薬分注アーム９等とを作動させる。
【００９５】
また、分析サイクル単位で、機構部３１に反応部２２の反応ディスク５、第１撹拌ユニット１１ａ、第２撹拌ユニット１１ｂ、洗浄ユニット１２、第１撹拌子１１ａ１、第２撹拌子１１ｂ１、洗浄ユニット１２の吸引ポンプ、洗浄ポンプ、及び乾燥ポンプ等を作動させる。
【００９６】
更に、分析部１９の各液面検出器１８ａ，１８ｂ，１８ｃから出力される洗浄部２３の各第１及び第２の洗浄液槽８１ｃ，８２ｃ，９１ｃ，９２ｃ，１０１ｃ，１０２ｃ内における各第１及び第２の洗浄液の液面検出信号に基づいて、第１及び第２の洗浄槽８１ｃ，８２ｃ，９１ｃ，９２ｃ，１０１ｃ，１０２ｃの上停止位置と検出位置の間の移動距離を算出する。
【００９７】
そして、算出した移動距離が図９（ｂ）に示した距離Ｈ１よりも長いとき、分析部１９のサンプル分注プローブ１６、及び第１及び第２試薬分注プローブ１４，１５の各分注プローブの洗浄が例えば３回可能な量Ｖ１よりも少ないと判断し、機構部３１に洗浄部２３の各洗剤ポンプ８１ｆ，８２ｆ，９１ｆ，９２ｆ，１０１ｆ，１０２ｆ、各希釈ポンプ８１ｇ，８２ｇ，９１ｇ，９２ｇ，１０１ｇ，１０２ｇ、及び各三方弁８１ｅ，８２ｅ，９１ｅ，９２ｅ，１０１ｅ，１０２ｅを作動させる。そして、各第１及び第２の洗浄液槽８１ｃ，８２ｃ，９１ｃ，９２ｃ，１０１ｃ，１０２ｃ内に補充量Ｖ２（Ｖ２＞Ｖ１）の各第１及び第２の洗浄液を供給して、図９（ａ）に示した規定量Ｖ３（Ｖ３＞Ｖ２）の各第１及び第２の洗浄液を貯留する。
【００９８】
次に、図２乃至図１３を参照して、洗浄部２３のサンプル分注プローブ洗浄部８０の洗浄液を用いたサンプル分注プローブ１６の洗浄工程、第１試薬分注プローブ洗浄部９０の洗浄液を用いた第１試薬分注プローブ１４の洗浄工程、及び第２試薬分注プローブ洗浄部１００の洗浄液を用いた第２試薬分注プローブ１５の洗浄工程を説明する。
【００９９】
図１３は、サンプル分注プローブ洗浄部８０の洗浄液を用いたサンプル分注プローブ１６の洗浄工程Ｓ８０を示したフローチャートである。なお、第１及び第２試薬分注プローブ洗浄部９０，１００の洗浄液を用いた第１及び第２試薬分注プローブ１４，１５の各洗浄工程Ｓ９０，Ｓ１００は、サンプル分注プローブ１６の洗浄工程Ｓ８０と同じステップで同様に動作するので、各洗浄工程Ｓ９０，Ｓ１００の各ステップの説明を省略する。
【０１００】
測定中では、第１又は第２の洗浄液を用いてサンプル分注プローブ１６の洗浄を行うときに洗浄工程Ｓ８０を実行する。また、第１及び第２の洗浄液を用いてサンプル分注プローブ１６の洗浄を行うときに、第１又は第２の洗浄液の一方の洗浄液を用いて洗浄工程Ｓ８０を実行した後、他方の洗浄液を用いて洗浄工程Ｓ８０を実行する。
【０１０１】
測定終了後の洗浄中では、一方の洗浄液を用いて洗浄工程Ｓ８０を複数回実行した後、更に他方の洗浄液を用いて複数回洗浄工程Ｓ８０を実行する。
【０１０２】
以下において、第１の洗浄液を用いてサンプル分注プローブ１６を洗浄する例を説明する。  
まず、サンプル分注プローブ１６は、分析制御部３０の制御部３２の制御信号に基づくサンプル分注アーム１０の動作により、第１の洗浄液槽８１ｃの上停止位置まで水平移動した後、下に移動する。次いで、第１の洗浄槽８１ｃ内の第１の洗浄液の液面検出位置で停止する（ステップＳ８１）。
【０１０３】
停止した後に、サンプル分注プローブ１６は、サンプル分注ポンプ部１０ａの動作により、第１の洗浄液を吸引する（ステップＳ８２）。
【０１０４】
第１の洗浄液の吸引後に上停止位置まで上へ移動した後、サンプル部２０の洗浄水槽１６ａの上停止位置まで水平移動する。次いで、洗浄水槽１６ａ内の洗浄水による洗浄が可能な高さまで下に移動する（ステップＳ８３）。
【０１０５】
下に移動した後に、サンプル分注ポンプ部１０ａの動作により、吸引した第１の洗浄液を吐出した後、洗浄水槽１６ａで洗浄水により洗浄される（ステップＳ８４）。
【０１０６】
一方、ステップＳ８１の後に、サンプル部２０の液面検出器１８ａは、サンプル分注プローブ１６が第１の洗浄液槽８１ｃ内の第１の洗浄液と接触したときに、その液面の検出信号を制御部３２に出力する。制御部３２は、液面検出器１８ａからの検出信号に基づいて、第１の洗浄液槽８１ｃの上停止位置と検出位置の間の移動距離を算出する（ステップＳ８５）。
【０１０７】
そして、算出した移動距離が距離Ｈ１以下である場合（ステップＳ８６のはい）、第１の洗浄液槽８１ｃ内の洗浄液量が量Ｖ１以上であると判断し、第１の洗浄液槽８１ｃには第１の洗浄液を供給しない（ステップＳ８７）。また、算出した移動距離が距離Ｈ１よりも長い場合（ステップＳ８６いいえ）、第１の洗浄液槽８１ｃ内の洗浄液量が量Ｖ１よりも少ないと判断し、供給部８１ｂに第１の洗浄液槽８１ｃ内に補充量Ｖ２の第１の洗浄液を供給させる（ステップＳ８８）。
【０１０８】
このように、第１及び第２の洗浄液槽８１ｃ，８２ｃ，９１ｃ，９２ｃ，１０１ｃ，１０２ｃ内の第１及び第２の洗浄液量が量Ｖ１よりも少ないときに、補充量Ｖ２の洗浄液を供給することができる。
【０１０９】
以下、図１乃至図１６を参照して、自動分析装置２００の動作の一例を説明する。図１４は、表示部５２に表示される測定項目設定画面の一例を示す。図１５は、測定の開始から被検試料の分注及びサンプル分注プローブ１６の洗浄までの動作を示すフローチャートである。図１６は、第１試薬の分注から測定終了までの動作を示すフローチャートである。
【０１１０】
システム制御部７０の内部記憶回路には、図７の影響項目設定画面５３に設定された影響を受ける測定項目である「ＨＢｓＡｇ」、及びこの測定項目の洗浄液である「第１の洗浄液」の情報が保存されている。また、図１０の影響試薬設定画面５４に設定された影響を与える第１試薬である「ＧＰＴ」、この第１試薬から影響を受ける第１試薬である「Ｃａ」、及び影響を与える第１試薬の洗浄液である第１の洗浄液としての「１」の情報が保存されている。
【０１１１】
データ処理部４０の記憶部４２には予め各測定項目のキャリブレーションテーブルが保存されている。また、操作部６０からの測定項目選択入力により、システム制御部７０の内部記憶回路には、被検試料毎に選択入力された測定項目が保存されている。
【０１１２】
図１４は、表示部５２に表示される測定項目設定画面の一例を示した図である。この測定項目設定画面５５は、被検体情報入力画面に入力された被検体のＩＤを表示する「ＩＤ」の欄と、図７の影響項目設定画面５３と同じ項目名を略称で表示する「項目」の欄と、「ＩＤ」の欄に表示された被検体のＩＤ毎に「項目」の欄に表示された項目名の測定項目を設定するための測定項目設定エリア５５ａから構成される。
【０１１３】
「ＩＤ」の欄には、予め入力された被検体のＩＤである例えば「１」及び「２」が表示されている。また、「項目」の欄には、例えば「ＧＯＴ」、「ＧＰＴ」、「Ｃａ」、「ＨＢｓＡｇ」などの項目名が表示されている。
【０１１４】
測定項目設定エリア５５ａには、「ＩＤ」の欄の各被検体のＩＤに対応した「項目」の欄の項目名が選択された場合には「○」が表示され、設定されない場合には「・」が表示される。そして、操作部６０から例えば「ＩＤ」の欄に表示された「１」に対して「ＧＯＴ」及び「ＧＰＴ」が選択されており、測定項目設定エリア５５ａの「１」及び「ＧＯＴ」に対応する位置に１テストである「○」が表示され、「１」及び「ＧＰＴ」に対応する位置に２テストである「○」が表示されている。
【０１１５】
また、「ＩＤ」の欄に表示された「２」に対して「Ｃａ」及び「ＨＢｓＡｇ」が選択されており、測定項目設定エリア５５ａの「２」及び「Ｃａ」に対応する位置に３テストである「○」が表示され、「２」及び「ＨＢｓＡｇ」に対応する位置に４テストである「○」が表示されている。
【０１１６】
測定項目設定画面５５に設定された測定項目設定情報は、システム制御部７０の内部記憶回路に保存される。そして、被検試料の測定は測定項目設定画面５５に設定されたテストの順に測定されることになる。
【０１１７】
図１５は、測定の開始から被検試料の分注及びサンプル分注プローブ１６の洗浄までの動作を示したフローチャートである。まず、操作部６０からの測定開始操作により、自動分析装置２００は動作を開始する（ステップＳ１）。
【０１１８】
システム制御部７０は、分析制御部３０、データ処理部４０、及び出力部５０に測定を指示する。分析制御部３０の制御部３２は、分析部１９の各分析ユニットを一旦ホームポジションに移動させる。
【０１１９】
次いで、洗浄部２３におけるサンプル分注プローブ洗浄部８０、第１試薬分注プローブ洗浄部９０、及び第２試薬分注プローブ洗浄部１００の各排液ポンプ８３，９３，１０３を作動させて、各第１及び第２の洗浄液槽８１ｃ，８２ｃ，９１ｃ，９２ｃ，１０１ｃ，１０２ｃ内の各第１，第２の洗浄液を排出する。排出後、各供給部８１ｂ，８２ｂ，９１ｂ，９２ｂ，１０１ｂ，１０２ｂを作動させて、各第１及び第２の洗浄液槽８１ｃ，８２ｃ，９１ｃ，９２ｃ，１０１ｃ，１０２ｃ内に規定量Ｖ３の各第１及び第２の洗浄液を供給する（ステップＳ２）。
【０１２０】
分析部１９のサンプル分注プローブ１６は、測定項目設定画面５５に設定された被検体ＩＤ「ｍ」のｍテスト及び（ｍ＋１）テストの測定項目を測定するための被検試料をサンプル部２０のディスクサンプラ６に収納された試料容器１７から反応部２２の反応容器４に分注する（ステップＳ３）。
【０１２１】
被検体ＩＤ「ｍ」の全ての測定項目の被検試料の分注を終了した後、制御部３２は、システム制御部７０から供給される影響を受ける測定項目及びこの測定項目の洗浄液の情報と、被検体ＩＤ「ｍ＋１」の測定項目の情報に基づいて、サンプル分注プローブ１６の洗浄を行う。
【０１２２】
そして、被検体ＩＤ「ｍ＋１」の被検試料に影響を受ける測定項目が含まれていない場合（ステップＳ４のいいえ）、サンプル部２０の洗浄水槽１６ａでサンプル分注プローブ１６を洗浄する（ステップＳ５）。
【０１２３】
また、次の被検体ＩＤ「ｍ＋１」の被検試料に影響を受ける測定項目が含まれている場合（ステップＳ４のはい）、サンプル分注プローブ洗浄部８０の影響を受ける測定項目の洗浄液を用いて洗浄工程Ｓ８０（図１３のステップＳ８１乃至Ｓ８８）を実行する。ここでは、被検体ＩＤ「２」に影響を受ける測定項目の「ＨＢｓＡｇ」が含まれているので、ステップＳ４の「はい」の後に、洗浄工程Ｓ８０を実行して第１の洗浄液による洗浄を行う。
【０１２４】
ステップＳ５又は洗浄工程Ｓ８０の後に、ｍが２である場合（ステップＳ６のはい）、図１６のステップに移行する。また、ｍが２未満である場合（ステップＳ６のいいえ）、ステップＳ３に戻る。
【０１２５】
図１６は、第１試薬の分注から測定の終了までの動作を示したフローチャートである。図１５でサンプル分注動作を繰り返し実行して、被検体ＩＤ「１」及び「２」の被検試料の分注、及びサンプル分注プローブ１６の洗浄を終了した後に、試薬部２１の第１試薬分注プローブ１４は、試薬庫２の試薬容器７ａからｎテスト（ｎ＝１）の測定項目の被検試料が分注された反応容器４に、ｎテストの測定項目に該当する第１試薬を分注する（ステップＳ２１）。
【０１２６】
第１試薬が分注された後に、反応容器４内の被検試料及び第１試薬からなる第１の混合液が第１撹拌ユニット１１ａの第１撹拌子１１ａ１によって撹拌される。
【０１２７】
ｎテストの第１試薬の分注後、制御部３２は、システム制御部７０から供給される影響を与える第１試薬、この第１試薬から影響を受ける第１試薬、影響を与える第１試薬の洗浄液、及びｎテスト及び（ｎ＋１）テストの測定項目の情報に基づいて、第１試薬分注プローブ１４の洗浄を行う。
【０１２８】
そして、ｎテスト及び（ｎ＋１）テストの測定項目の第１試薬が、影響を与える第１試薬及び影響を受ける第１試薬の組合せでない場合（ステップＳ２２のいいえ）、試薬部２１の洗浄水槽１４ａで第１試薬分注プローブ１４を洗浄する（ステップＳ２３）。
【０１２９】
また、ｎテスト及び（ｎ＋１）テストの測定項目の第１試薬が、影響を与える第１試薬及び影響を受ける第１試薬の組み合わせである場合（ステップＳ２２のはい）、第１試薬分注プローブ洗浄部９０の影響を与える第１試薬の洗浄液を用いて図１３の洗浄工程Ｓ９０を実行する。
【０１３０】
ステップＳ２３又は洗浄工程Ｓ９０の後に、ｎが４である場合（ステップＳ２４のはい）、ステップＳ２５に移行する。また、ｎが４未満である場合（ステップＳ２４のいいえ）、ステップＳ２１に戻る。
【０１３１】
ここでは、２テストである「ＧＰＴ」の第１試薬の後に、この「ＧＰＴ」の第１試薬から影響を受ける３テストである「Ｃａ」の第１試薬の分注が行われるので、「Ｃａ」の第１試薬を分注する前に、洗浄工程Ｓ９０を実行して第１の洗浄液による洗浄を行う。
【０１３２】
１テスト乃至４テストにおける測定項目の第１試薬分注、第１撹拌、及び第１試薬分注プローブ１４の洗浄を繰り返し実行した後に、試薬部２１の第２試薬分注プローブ１５は、試薬庫３の試薬容器７ｂからｐテスト（ｐ＝１）である測定項目の被検試料及び第１試薬が分注された反応容器４に、ｐテストの測定項目に該当する第２試薬を分注する（ステップＳ２５）。
【０１３３】
第２試薬が分注された後に、反応容器４内の被検試料、第１試薬、及び第２試薬からなる第２の混合液が反応部２２の第２撹拌ユニット１１ｂの第２撹拌子１１ｂ１によって撹拌される。
【０１３４】
ｐテストである測定項目の第２試薬の分注後、制御部３２は、システム制御部７０から供給された影響を与える第２試薬、この第２試薬から影響を受ける第２試薬、影響を与える第２試薬の洗浄液の情報、及びｐテスト及び（ｐ＋１）テストの測定項目の情報に基づいて、第２試薬分注プローブ１５の洗浄を行う。
【０１３５】
そして、ｐテスト及び（ｐ＋１）テストの測定項目の第２試薬が、影響を与える第２試薬及び影響を受ける第２試薬の組み合わせでない場合（ステップＳ２６のいいえ）、試薬部２１の洗浄水槽１５ａで第２試薬分注プローブ１５を洗浄する（ステップＳ２７）。
【０１３６】
また、ｐテスト及び（ｐ＋１）テストの測定項目の第２試薬が、影響を与える第２試薬及びこの第２試薬から影響を受ける第２試薬の組み合わせである場合（ステップＳ２６のはい）、第２試薬分注プローブ洗浄部１００の影響を受ける試薬の洗浄液を用いて図１３の洗浄工程Ｓ１００を実行する。
【０１３７】
ステップＳ２７又は洗浄工程Ｓ１００の後に、ｐが４である場合（ステップＳ２８のはい）、ステップＳ２９に移行する。また、ｎが４未満である場合（ステップＳ２８のいいえ）、ステップＳ２５に戻る。
【０１３８】
１テスト乃至４テストにおける測定項目の第２試薬分注、第２撹拌、及び第２試薬分注プローブ１５の洗浄を繰り返し実行した後に、反応部２２の測光ユニット１３は、第２の混合液が入った反応容器４に光を照射して、透過した光から設定波長の吸光度を測定する。そして、被検体ＩＤ「１」及び「２」の被検試料の各測定項目の被検データを生成してデータ処理部４０に出力する（ステップＳ２９）。
【０１３９】
測光ユニット１３による測定の後に、反応部２２の洗浄ユニット１２は、第２の混合液が入った反応容器４内の測定を終えた第２の混合液を吸引した後、反応容器４内をアルカリ性洗浄液、酸性洗浄液、及び水による洗浄及び乾燥を行う。
【０１４０】
データ処理部４０の演算部４１は、測光ユニット１３から出力された被検データから各被検試料の各測定項目の分析データを生成して記憶部４２に保存すると共に、出力部５０に出力する（ステップＳ３０）。
【０１４１】
そして、全ての反応容器４の洗浄及び乾燥が終了し、被検体ＩＤ「１」及び「２」の全ての測定項目の分析データが出力された時点で、自動分析装置２００は、測定動作を終了する（ステップＳ３１）。
【０１４２】
以上述べた本発明の実施例によれば、サンプル分注プローブ１６の洗浄に用いる第１及び第２の洗浄液を貯留する第１及び第２の洗浄液槽８１ｃ，８２ｃを設けることにより、予め設定した影響を受ける測定項目を含む被検試料の分注前に、予め設定した洗浄液を用いてサンプル分注プローブ１６を洗浄することができる。また、測定終了後の洗浄のときに、第１及び第２の洗浄液槽８１ｃ，８２ｃ内の第１及び第２の洗浄液を用いてサンプル分注プローブ１６を洗浄することができる。
【０１４３】
また、第１及び第２試薬分注プローブ１４，１５の洗浄に用いる第１及び第２の洗浄液を貯留する第１及び第２の洗浄液槽９１ｃ，９２ｃ，１０１ｃ，１０２ｃを設けることにより、予め設定した影響を与える試薬を分注した後に、予め設定された前記影響を与える試薬から影響を受ける試薬を分注する場合、前記影響を受ける試薬の分注前に、予め設定した洗浄液を用いて第１及び第２試薬分注プローブ１４，１５を洗浄することができる。また、測定終了後の洗浄のときに、第２の洗浄液槽９１ｃ，９２ｃ，１０１ｃ，１０２ｃ内の第１及び第２の洗浄液を用いて第１及び第２試薬分注プローブ１４，１５を洗浄することができる。
【０１４４】
そして、第１及び第２の洗浄液槽８１ｃ，８２ｃ，９１ｃ，９２ｃ，１０１ｃ，１０２ｃ内の第１及び第２の洗浄液を吸引するために、第２の洗浄層８１ｃ，８２ｃ，９１ｃ，９２ｃ，１０１ｃ，１０２ｃの上停止位置から第１，第２の洗浄液を検出する位置までサンプル分注プローブ１６、及び第１及び第２試薬分注プローブ１４，１５の各分注プローブを下に移動したときの上停止位置と検出位置の間の移動距離を算出し、算出した移動距離が距離Ｈ１よりも長い場合、第１及び第２の洗浄液槽８１ｃ，８２ｃ，９１ｃ，９２ｃ，１０１ｃ，１０２ｃ内の洗浄液量が量Ｖ１よりも少ないと判断し、第１及び第２の洗浄液槽８１ｃ，８２ｃ，９１ｃ，９２ｃ，１０１ｃ，１０２ｃ内に補充量Ｖ２の第１及び第２の洗浄液を供給することができる。
【０１４５】
これにより、第１及び第２の洗浄液を補充する手間を省くと共に処理能力の低下を防ぎ、精度よく測定することができる。
【図面の簡単な説明】
【０１４６】
【図１】本発明の実施例に係る自動分析装置の構成を示す図。
【図２】本発明の実施例に係る分析部のサンプル部、試薬部、及び反応部の構成の詳細を示す斜視図。
【図３】本発明の実施例に係る分析部のサンプル部、反応部、及び洗浄部の一部のユニットの配置を示す図。
【図４】本発明の実施例に係る分析部の試薬部、反応部、及び洗浄部の一部のユニットの配置を示す図。
【図５】本発明の実施例に係る分析部の試薬部、反応部、及び洗浄部の一部のユニットの配置を示す図。
【図６】本発明の実施例に係る洗浄部の構成を示す図。
【図７】本発明の実施例に係る表示部に表示される影響項目設定画面の一例を示す図。
【図８】本発明の実施例に係るサンプル分注プローブ洗浄部の構成を示す図。
【図９】本発明の実施例に係る第１の洗浄液槽の構成を示す図。
【図１０】本発明の実施例に係る表示部に表示される影響試薬設定画面の一例を示す図。
【図１１】本発明の実施例に係る第１試薬分注プローブ洗浄部の構成を示す図。
【図１２】本発明の実施例に係る第２試薬分注プローブ洗浄部の構成を示す図。
【図１３】本発明の実施例に係るサンプル分注プローブ洗浄部の洗浄液を用いたサンプル分注プローブの洗浄工程を示すフローチャート。
【図１４】本発明の実施例に係る表示部に表示される測定項目設定画面の一例を示す図。
【図１５】本発明の実施例に係る測定の開始から被検試料の分注及びサンプル分注プローブの洗浄までの動作を示すフローチャート。
【図１６】本発明の実施例に係る第１試薬の分注から測定終了までの動作を示すフローチャート。
【符号の説明】
【０１４７】
１６  サンプル分注プローブ
１８ａ  液面検出器
２０  サンプル部
３０  分析制御部
３１  機構部
３２  制御部
８０  サンプル分注プローブ洗浄部
８１  第１の洗浄部
８１ａ，８２ａ  洗剤ボトル
８１ｂ，８２ｂ  供給部
８１ｃ，８２ｃ  第２の洗浄槽
８１ｄ，８２ｄ  供給ポンプ
８１ｅ，８２ｅ  三方弁
８１ｆ，８２ｆ  洗剤ポンプ
８１ｇ，８２ｇ  希釈ポンプ
８１ｈ，８２ｈ  分岐管
８１ｉ，８２ｉ  洗浄槽
８１ｊ，８２ｊ  吐出管
８１ｋ，８２ｋ  排液口
８１ｍ，８２ｍ  加熱部
８２  第２の洗浄部
８３  排液ポンプ
１１０  純水装置
【図１】
2008202945.tif 000003
【図２】
2008202945.tif 000004
【図３】
2008202945.tif 000005
【図４】
2008202945.tif 000006
【図５】
2008202945.tif 000007
【図６】
2008202945.tif 000008
【図７】
2008202945.tif 000009
【図８】
2008202945.tif 000010
【図９】
2008202945.tif 000011
【図１０】
2008202945.tif 000012
【図１１】
2008202945.tif 000013
【図１２】
2008202945.tif 000014
【図１３】
2008202945.tif 000015
【図１４】
2008202945.tif 000016
【図１５】
2008202945.tif 000017
【図１６】
2008202945.tif 000018